(57)【特許請求の範囲】
【請求項１】
送信ポイント（ＴＰ）によるワイヤレス通信のための方法であって、
ユーザ機器（ＵＥ）にチャネル状態情報基準信号（ＣＳＩ−ＲＳ）をジョイント送信するために１つまたは複数の他のＴＰと協調することと、ここにおいて、前記協調することが、仮想アンテナポートマッピングを決定することを備え、ここにおいて、前記複数のＴＰの各々が、非同一プリコーディング行列インジケータ（ＰＭＩ）またはチャネル品質インジケータ（ＣＱＩ）フィードバックを可能にするように構成された異なるアンテナポートマッピングを有し、前記仮想アンテナポートマッピングは、少なくとも１つの行列と、ＰＭＩ制限の１つまたは複数のセットと、を備え、前記仮想アンテナポートマッピングは、特定のＴＰについてフィードバックすることを前記ＵＥに強制する、
ＰＭＩ制限の前記１つまたは複数のセットに基づいて、前記ＵＥに報告制限をシグナリングすることと、前記報告制限は、前記ＵＥによって報告され得るＰＭＩの制限されたセットを示す、
前記ジョイント送信されたＣＳＩ−ＲＳに基づきおよび前記報告制限に従う、前記ＵＥからのＰＭＩフィードバックを受信することと、
前記ＰＭＩフィードバックおよび前記報告制限に基づいて、前記ＵＥをサービスするために前記ＴＰのうちの１つまたは複数を選択することとを備える、方法。
【請求項２】
前記報告制限は、ＰＭＩコードブック制限を備え、前記ＵＥによって報告されたＰＭＩは、ＴＰ選択を示す、請求項１に記載の方法。
【請求項３】
他のＴＰからの報告が必要とされる場合、前記ＰＭＩコードブック制限を修正することをさらに備える、請求項２に記載の方法。
【請求項４】
前記報告制限が、いくつかの周期報告モードを構成することによるＰＭＩ報告に対するさらなる制限を備える、請求項１に記載の方法。
【請求項５】
前記協調することが、ＴＰ上で前記ジョイント送信されたＣＳＩ−ＲＳの送信電力を協調させることを備える、請求項１に記載の方法。
【請求項６】
第１のＴＰに対応するフィードバックの周期報告と、少なくとも第２のＴＰおよび前記第１のＴＰについてのＰＭＩ／ＣＱＩフィードバックならびにＴＰ選択に対応するフィードバックの非周期報告と、のために前記ＵＥを構成することをさらに備える、請求項１に記載の方法。
【請求項７】
前記第２のＴＰは、前記第２のＴＰが前記１つまたは複数の他のＴＰによってサービスされるセルのうちのベストセルに対応することを示すフィードバックに基づいて選択される、請求項６に記載の方法。
【請求項８】
前記複数のＴＰのうちの少なくとも１つが１つのアンテナを有し、前記仮想アンテナポートマッピングが少なくとも２ポートマッピングを備える、請求項１に記載の方法。
【請求項９】
前記複数のＴＰのうちの少なくとも１つが少なくとも２つのアンテナを有する、請求項１に記載の方法。
【請求項１０】
前記仮想アンテナポートマッピングが４ポートマッピングまたは８ポートマッピングのうちの少なくとも１つを備える、請求項９に記載の方法。
【請求項１１】
送信ポイント（ＴＰ）によるワイヤレス通信のための装置であって、
ユーザ機器（ＵＥ）にチャネル状態情報基準信号（ＣＳＩ−ＲＳ）をジョイント送信するために１つまたは複数の他のＴＰと協調することと、ここにおいて、前記協調することが、仮想アンテナポートマッピングを決定することを備え、ここにおいて、前記複数のＴＰの各々が、非同一プリコーディング行列インジケータ（ＰＭＩ）またはチャネル品質インジケータ（ＣＱＩ）フィードバックを可能にするように構成された異なるアンテナポートマッピングを有し、前記仮想アンテナポートマッピングは、少なくとも１つの行列と、ＰＭＩ制限の１つまたは複数のセットと、を備え、前記仮想アンテナポートマッピングは、特定のＴＰについてフィードバックすることを前記ＵＥに強制する、
ＰＭＩ制限の前記１つまたは複数のセットに基づいて、前記ＵＥに報告制限をシグナリングすることと、前記報告制限は、前記ＵＥによって報告され得るＰＭＩの制限されたセットを示す、
を行うように構成された送信機と、
前記ジョイント送信されたＣＳＩ−ＲＳに基づきおよび前記報告制限に従う、前記ＵＥからのＰＭＩフィードバックを受信するように構成された受信機と、
前記ＰＭＩフィードバックおよび前記報告制限に基づいて、前記ＵＥをサービスするために前記ＴＰのうちの１つまたは複数を選択するように構成されたプロセッサとを備える、装置。
【請求項１２】
前記報告制限は、ＰＭＩコードブック制限を備え、前記ＵＥによって報告されたＰＭＩは、ＴＰ選択を示す、請求項１１に記載の装置。
【請求項１３】
前記プロセッサは、他のＴＰからの報告が必要とされる場合、前記ＰＭＩコードブック制限を修正するようにさらに構成される、請求項１２に記載の装置。
【請求項１４】
前記報告制限が、いくつかの周期報告モードを構成することによるＰＭＩ報告に対するさらなる制限を備える、請求項１１に記載の装置。
【請求項１５】
前記協調することが、ＴＰ上で前記ジョイント送信されたＣＳＩ−ＲＳの送信電力を協調させることを備える、請求項１１に記載の装置。
【請求項１６】
前記送信機は、第１のＴＰに対応するフィードバックの周期報告と、少なくとも第２のＴＰおよび前記第１のＴＰについてのＰＭＩ／ＣＱＩフィードバックならびにＴＰ選択に対応するフィードバックの非周期報告と、のために前記ＵＥを構成するようにさらに構成される、請求項１１に記載の装置。
【請求項１７】
前記第２のＴＰは、前記第２のＴＰが前記１つまたは複数の他のＴＰによってサービスされるセルのうちのベストセルに対応することを示すフィードバックに基づいて選択される、請求項１６に記載の装置。
【請求項１８】
前記複数のＴＰのうちの少なくとも１つが１つのアンテナを有し、前記仮想アンテナポートマッピングが少なくとも２ポートマッピングを備える、請求項１１に記載の装置。
【請求項１９】
前記複数のＴＰのうちの少なくとも１つが少なくとも２つのアンテナを有する、請求項１１に記載の装置。
【請求項２０】
前記仮想アンテナポートマッピングが４ポートマッピングまたは８ポートマッピングのうちの少なくとも１つを備える、請求項１９に記載の装置。
【請求項２１】
送信ポイント（ＴＰ）によるワイヤレス通信のための装置であって、
ユーザ機器（ＵＥ）にチャネル状態情報基準信号（ＣＳＩ−ＲＳ）をジョイント送信するために１つまたは複数の他のＴＰと協調するための手段と、ここにおいて、前記協調することが、仮想アンテナポートマッピングを決定することを備え、ここにおいて、前記複数のＴＰの各々が、非同一プリコーディング行列インジケータ（ＰＭＩ）またはチャネル品質インジケータ（ＣＱＩ）フィードバックを可能にするように構成された異なるアンテナポートマッピングを有し、前記仮想アンテナポートマッピングは、少なくとも１つの行列と、ＰＭＩ制限の１つまたは複数のセットと、を備え、前記仮想アンテナポートマッピングは、特定のＴＰについてフィードバックすることを前記ＵＥに強制する、
ＰＭＩ制限の前記１つまたは複数のセットに基づいて、前記ＵＥに報告制限をシグナリングするための手段と、前記報告制限は、前記ＵＥによって報告され得るＰＭＩの制限されたセットを示す、
前記ジョイント送信されたＣＳＩ−ＲＳに基づきおよび前記報告制限に従う、前記ＵＥからのＰＭＩフィードバックを受信するための手段と、
前記ＰＭＩフィードバックおよび前記報告制限に基づいて、前記ＵＥをサービスするために前記ＴＰのうちの１つまたは複数を選択するための手段とを備える、装置。
【請求項２２】
ユーザ機器（ＵＥ）にチャネル状態情報基準信号（ＣＳＩ−ＲＳ）をジョイント送信するために１つまたは複数の他のＴＰと協調することと、ここにおいて、前記協調することが、仮想アンテナポートマッピングを決定することを備え、ここにおいて、前記複数の送信ポイントの各々が、非同一プリコーディング行列インジケータ（ＰＭＩ）またはチャネル品質インジケータ（ＣＱＩ）フィードバックを可能にするように構成された異なるアンテナポートマッピングを有し、前記仮想アンテナポートマッピングは、少なくとも１つの行列と、ＰＭＩ制限の１つまたは複数のセットと、を備え、前記仮想アンテナポートマッピングは、特定のＴＰについてフィードバックすることを前記ＵＥに強制する、
ＰＭＩ制限の前記１つまたは複数のセットに基づいて、前記ＵＥに報告制限をシグナリングすることと、前記報告制限は、前記ＵＥによって報告され得るＰＭＩの制限されたセットを示す、
前記ジョイント送信されたＣＳＩ−ＲＳに基づきおよび前記報告制限に従う、前記ＵＥからのＰＭＩフィードバックを受信することと、
前記ＰＭＩフィードバックおよび前記報告制限に基づいて、前記ＵＥをサービスするために前記ＴＰのうちの１つまたは複数を選択することとを行うための命令を備える、非一時的コンピュータ可読媒体。
【発明の詳細な説明】
【技術分野】
【０００１】
関連出願の相互参照
[0001]本出願は、その全体がともに参照により本明細書に組み込まれる、２０１４年１月３１日に出願された米国仮特許出願第６１／９３４，６９６号、および２０１５年１月２７日に出願された米国特許出願第１４／６０６，７５７号の利益を主張する。
【０００２】
[0002]本開示のいくつかの態様は、一般にワイヤレス通信に関し、より詳細には、送信ポイント（ＴＰ：transmission point）選択および／または選択されたＴＰについてのチャネル状態フィードバックのための、複数のＴＰからのチャネル状態情報基準信号（ＣＳＩ−ＲＳ：channel state information reference signal）のジョイント送信のための技法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワークおよびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、および／またはＵＥからアップリンク上でデータおよび制御情報を受信し得る。ダウンリンク上では、基地局からの送信は、近接の基地局からの送信による干渉を観測することがある。アップリンク上では、ＵＥからの送信は、ネイバー基地局と通信している他のＵＥからの送信に対して干渉を引き起こすことがある。干渉は、ダウンリンクとアップリンクの両方で性能を劣化させることがある。
【発明の概要】
【０００６】
[0006]本開示のいくつかの態様は、多地点送信を実行するための技法、対応する装置、およびプログラム製品を提供する。
【０００７】
[0007]本開示のいくつかの態様は、多地点通信を実行する方法を提供する。本方法は、概して、ユーザ機器（ＵＥ）にチャネル状態情報基準信号（ＣＳＩ−ＲＳ）をジョイント送信するために１つまたは複数の他のＴＰと協調することと、ＵＥに報告制限をシグナリングすることと、ジョイント送信されたＣＳＩ−ＲＳに基づきおよび報告制限に従う、ＵＥからのフィードバックを受信することと、フィードバックに基づいて、サービスすべきＴＰのうちの１つを選択することとを含む。選択されたＴＰについてのチャネル状態フィードバックも、ジョイント送信されたＣＳＩ−ＲＳに基づくＵＥからのフィードバックから導出され得る。
【０００８】
[0008]本開示のいくつかの態様はまた、上記で説明した方法を実行するための様々な装置およびプログラム製品を提供する。
【０００９】
[0009]上記および関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に示している。ただし、これらの特徴は、様々な態様の原理が採用され得る様々な方法のうちのほんのいくつかを示すものであり、この説明は、すべてのそのような態様およびそれらの均等物を含むものとする。
【図面の簡単な説明】
【００１０】
【図１】[0010]本開示のいくつかの態様による、ワイヤレス通信ネットワークの一例を概念的に示すブロック図。
【図２】[0011]本開示のいくつかの態様による、ワイヤレス通信ネットワークにおけるフレーム構造の一例を概念的に示すブロック図。
【図２Ａ】[0012]本開示のいくつかの態様による、ロングタームエボリューション（ＬＴＥ（登録商標））におけるアップリンクのための例示的なフォーマットを示す図。
【図３】[0013]本開示のいくつかの態様による、ワイヤレス通信ネットワーク中のユーザ機器デバイス（ＵＥ）と通信しているノードＢの一例を概念的に示すブロック図。
【図４】[0014]本開示のいくつかの態様による、多数のセルからのジョイント送信をもつ例示的な多地点協調（ＣｏＭＰ：coordinated multipoint）クラスタを示す図。
【図５】[0015]単一の送信ポイントからの単一のチャネル状態情報基準信号（ＣＳＩ−ＲＳ）の例示的な送信を示す図。
【図６】[0016]複数の送信ポイントからの別個のＣＳＩ−ＲＳの例示的な送信を示す図。
【図７Ａ】[0017]本開示の一態様による、複数の送信ポイントからのジョイントネゴシエートされたＣＳＩ−ＲＳの例示的な送信を示す図。
【図７Ｂ】本開示の一態様による、複数の送信ポイントからのジョイントネゴシエートされたＣＳＩ−ＲＳの例示的な送信を示す図。
【図８】[0018]本開示の一態様による、ＵＥをサービスすべき送信ポイントを選択するための、ＣＳＩ−ＲＳと報告制限とをＵＥにジョイント送信するために送信ポイントによって実行され得る例示的な動作を示す図。
【図９】[0019]本開示の一態様による、２送信アンテナ、４ポートＣＳＩ−ＲＳ構成での報告されたＰＭＩインデックスのための例示的な送信ポイントおよびコードブックインデックス選択を示す図。
【図１０】[0020]本開示の一態様による、２送信アンテナ、８ポートＣＳＩ−ＲＳ構成での報告されたＰＭＩインデックスのための例示的な送信ポイントおよびコードブックインデックス選択を示す図。
【図１１】[0021]本開示の一態様による、４送信アンテナ構成での報告されたＰＭＩインデックスのための例示的な送信ポイントおよびコードブックインデックス選択を示す図。
【図１２】[0022]本開示の一態様による、強制報告構成でのインデックスの報告されたセットのための例示的な送信ポイントおよびコードブックインデックス選択を示す図。
【図１３】[0023]本開示の一態様による、ＰＵＣＣＨモード１−１、サブモード２での強制報告のための例示的な送信ポイントおよびコードブックインデックス選択を示す図。
【図１４Ａ】[0024]本開示の一態様による、異なるＰＭＩ制限セットを用いた強制報告のための例示的な送信ポイントおよびコードブックインデックス選択を示す図。
【図１４Ｂ】本開示の一態様による、異なるＰＭＩ制限セットを用いた強制報告のための例示的な送信ポイントおよびコードブックインデックス選択を示す図。
【図１５Ａ】[0025]本開示の一態様による、異なるランクとＰＭＩ制限セットとを用いた強制報告のための例示的な送信ポイントおよびコードブックインデックス選択を示す図。
【図１５Ｂ】本開示の一態様による、異なるランクとＰＭＩ制限セットとを用いた強制報告のための例示的な送信ポイントおよびコードブックインデックス選択を示す図。
【図１５Ｃ】本開示の一態様による、異なるランクとＰＭＩ制限セットとを用いた強制報告のための例示的な送信ポイントおよびコードブックインデックス選択を示す図。
【図１５Ｄ】本開示の一態様による、異なるランクとＰＭＩ制限セットとを用いた強制報告のための例示的な送信ポイントおよびコードブックインデックス選択を示す図。
【発明を実施するための形態】
【００１１】
[0026]本開示の態様は、レガシーデバイスによる多地点送信をサポートするために使用され得る単一のＣＳＩ−ＲＳを構成するための技法を提供する。
【００１２】
[0027]多地点送信は、複数の送信ポイントからＵＥへのデータの送信と、複数の送信ポイントにおけるＵＥからのデータの受信とを可能にする。多地点送信は、多地点送信のためにコンカレントに構成され得る複数のチャネル状態情報基準信号（ＣＳＩ−ＲＳ）の使用によってサポートされ得る。より新しいデバイスは、複数のＣＳＩ−ＲＳを使用する多地点送信を可能にする送信モードをサポートし得るが、レガシーデバイスは、２つ以上のＣＳＩ−ＲＳを構成することをサポートしない送信モードのみをサポートし得る。
【００１３】
[0028]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分でＬＴＥ用語を使用する。
例示的なワイヤレスネットワーク
[0029]図１に、本開示の態様が実行され得る、ＬＴＥネットワークであり得るワイヤレス通信ネットワーク１００を示す。たとえば、発展型ノードＢ１１０は、送信ポイント選択のために単一のチャネル状態情報基準信号（ＣＳＩ−ＲＳ）を構成および使用するための図８に示す動作８００、ならびに／あるいは本明細書で説明する技法のための他のプロセスまたは技法を指示または実行するように構成され得る。
【００１４】
[0030]図示のように、ワイヤレスネットワーク１００は、いくつかの発展型ノードＢ（ｅＮＢ）１１０と他のネットワークエンティティとを含み得る。ｅＮＢは、ユーザ機器デバイス（ＵＥ）と通信する局であり得、基地局、ノードＢ、アクセスポイントなどと呼ばれることもある。各ｅＮＢ１１０は、特定の地理的エリアに通信カバレージを提供し得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００１５】
[0031]ｅＮＢは、マクロセル、ピコセル、フェムトセル、および／または他のタイプのセルに通信カバレージを提供し得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連付けを有するＵＥ（たとえば、限定加入者グループ（ＣＳＧ：Closed Subscriber Group）中のＵＥ、自宅内のユーザのためのＵＥなど）による制限付きアクセスを可能にし得る。マクロセルのためのｅＮＢは、マクロｅＮＢ（すなわち、マクロ基地局）と呼ばれることがある。ピコセルのためのｅＮＢは、ピコｅＮＢ（すなわち、ピコ基地局）と呼ばれることがある。フェムトセルのためのｅＮＢは、フェムトｅＮＢ（すなわち、フェムト基地局）またはホームｅＮＢと呼ばれることがある。図１に示された例では、ｅＮＢ１１０ａ、１１０ｂ、および１１０ｃは、それぞれマクロセル１０２ａ、１０２ｂ、および１０２ｃのためのマクロｅＮＢであり得る。ｅＮＢ１１０ｘは、ピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートし得る。
【００１６】
[0032]ワイヤレスネットワーク１００はまた、中継局を含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送る局である。中継局はまた、他のＵＥに対する送信を中継するＵＥであり得る。図１に示された例では、中継局１１０ｒは、ｅＮＢ１１０ａとＵＥ１２０ｒとの間の通信を容易にするために、ｅＮＢ１１０ａおよびＵＥ１２０ｒと通信し得る。中継局は、リレーｅＮＢ、リレーなどと呼ばれることもある。
【００１７】
[0033]ワイヤレスネットワーク１００は、様々なタイプのｅＮＢ、たとえば、マクロｅＮＢ、ピコｅＮＢ、フェムトｅＮＢ、リレーなどを含む異種ネットワーク（ＨｅｔＮｅｔ）であり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００１８】
[0034]ワイヤレスネットワーク１００は同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００１９】
[0035]ネットワークコントローラ１３０は、ｅＮＢのセットに結合し、これらのｅＮＢの協調および制御を提供し得る。ネットワークコントローラ１３０は、バックホールを介してｅＮＢ１１０と通信し得る。ｅＮＢ１１０はまた、たとえば、ワイヤレスバックホールまたはワイヤラインバックホールを介して直接または間接的に互いに通信し得る。
【００２０】
[0036]ＵＥ１２０は、ワイヤレスネットワーク１００全体にわたって分散され得、各ＵＥは固定または移動であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレットなどであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉する送信を示す。いくつかの態様では、ＵＥは、ＬＴＥリリース１０ＵＥを備え得る。
【００２１】
[0037]ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅はまた、サブバンドに区分され得る。たとえば、サブバンドは１．０８ＭＨｚをカバーし得、１．２５、２．５、５、１０、または２０ＭＨｚのシステム帯域幅に対してそれぞれ１、２、４、８、または１６個のサブバンドがあり得る。
【００２２】
[0038]図２に、ＬＴＥにおいて使用されるフレーム構造を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示されているように）ノーマルサイクリックプレフィックスの場合はＬ＝７個のシンボル期間、または拡張サイクリックプレフィックスの場合はＬ＝６個のシンボル期間を含み得る。各サブフレーム中の２Ｌ個のシンボル期間は０〜２Ｌ−１のインデックスを割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２３】
[0039]ＬＴＥでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、図２に示されているように、それぞれ、ノーマルサイクリックプレフィックスをもつ各無線フレームのサブフレーム０および５の各々中のシンボル期間６および５において送られ得る。同期信号は、セル検出および収集のためにＵＥによって使用され得る。ｅＮＢは、サブフレーム０のスロット１中のシンボル期間０〜３において物理ブロードキャストチャネル（ＰＢＣＨ：Physical Broadcast Channel）を送り得る。ＰＢＣＨはあるシステム情報を搬送し得る。
【００２４】
[0040]ｅＮＢは、図２に示されているように、各サブフレームの最初のシンボル期間中で物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を搬送し得、ただし、Ｍは、１、２、または３に等しくなり得、サブフレームごとに変化し得る。Ｍはまた、たとえば、リソースブロックが１０個未満である、小さいシステム帯域幅では４に等しくなり得る。ｅＮＢは、各サブフレームの最初のＭ個のシンボル期間中で物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る（図２に図示せず）。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中で物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００２５】
[0041]ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間においてシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨ、およびＰＨＩＣＨを送り得、特定のＵＥにユニキャスト方式でＰＤＣＣＨを送り得、また特定のＵＥにユニキャスト方式でＰＤＳＣＨを送り得る。
【００２６】
[0042]各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、最初のＭ個のシンボル期間において、利用可能なＲＥＧから選択され得る、９、１８、３２、または６４個のＲＥＧを占有し得る。ＲＥＧのいくつかの組合せのみがＰＤＣＣＨに対して可能にされ得る。
【００２７】
[0043]ＵＥは、ＰＨＩＣＨおよびＰＣＦＩＣＨのために使用される特定のＲＥＧを知り得る。ＵＥは、ＰＤＣＣＨのためのＲＥＧの様々な組合せをサーチし得る。サーチすべき組合せの数は、一般に、ＰＤＣＣＨに対して可能にされる組合せの数よりも少ない。ｅＮＢは、ＵＥがサーチすることになる組合せのいずれかにおいてＵＥにＰＤＣＣＨを送り得る。
【００２８】
[0044]図２Ａに、ＬＴＥにおけるアップリンクのための例示的なフォーマット２００Ａを示す。アップリンクのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。図２Ａの設計は、単一のＵＥがデータセクション中の連続サブキャリアのすべてを割り当てられることを可能にし得る、連続サブキャリアを含むデータセクションを生じる。
【００２９】
[0045]ＵＥは、ｅＮＢに制御情報を送信するために、制御セクション中のリソースブロックを割り当てられ得る。ＵＥは、ｅＮＢにデータを送信するために、データセクション中のリソースブロックをも割り当てられ得る。ＵＥは、制御セクション中の割り当てられたリソースブロック上の物理アップリンク制御チャネル（ＰＵＣＣＨ：Physical Uplink Control Channel）２１０ａ、２１０ｂ中で制御情報を送信し得る。ＵＥは、データセクション中の割り当てられたリソースブロック上の物理アップリンク共有チャネル（ＰＵＳＣＨ：Physical Uplink Shared Channel）２２０ａ、２２０ｂ中でデータのみまたはデータと制御情報の両方を送信し得る。アップリンク送信は、サブフレームの両方のスロットにわたり得、図２Ａに示されているように周波数上でホッピングし得る。
【００３０】
[0046]ＵＥは、複数のｅＮＢのカバレージ内にあり得る。これらのｅＮＢのうちの１つが、そのＵＥをサービスするために選択され得る。サービングｅＮＢは、受信電力、経路損失、信号対雑音比（ＳＮＲ）など、様々な基準に基づいて選択され得る。
【００３１】
[0047]ＵＥは、ＵＥが１つまたは複数の干渉ｅＮＢからの高い干渉を観測し得る支配的干渉シナリオにおいて動作し得る。支配的干渉シナリオは、制限付き関連付けにより発生し得る。たとえば、図１では、ＵＥ１２０ｙは、フェムトｅＮＢ１１０ｙに近接し得、フェムトｅＮＢ１１０ｙについて高い受信電力を有し得る。しかしながら、ＵＥ１２０ｙは、制限付き関連付けによりフェムトｅＮＢ１１０ｙにアクセスすることができないことがあり、次いで、（図１に示されているように）より低い受信電力をもつマクロｅＮＢ１１０ｃまたは同じくより低い受信電力をもつフェムトｅＮＢ１１０ｚ（図１に図示せず）に接続し得る。その場合、ＵＥ１２０ｙは、ダウンリンク上でフェムトｅＮＢ１１０ｙからの高い干渉を観測し得、また、アップリンク上でｅＮＢ１１０ｙに高い干渉を引き起こし得る。
【００３２】
[0048]支配的干渉シナリオはまた、範囲拡張により発生し得、これは、ＵＥが、ＵＥによって検出されたすべてのｅＮＢのうち、より低い経路損失とより低いＳＮＲとをもつｅＮＢに接続するシナリオである。たとえば、図１では、ＵＥ１２０ｘは、マクロｅＮＢ１１０ｂとピコｅＮＢ１１０ｘとを検出し得、ｅＮＢ１１０ｘについて、ｅＮＢ１１０ｂよりも低い受信電力を有し得る。とはいえ、ｅＮＢ１１０ｘの経路損失がマクロｅＮＢ１１０ｂの経路損失よりも低い場合、ＵＥ１２０ｘは、ピコｅＮＢ１１０ｘに接続することが望ましいことがある。これにより、ＵＥ１２０ｘの所与のデータレートに対してワイヤレスネットワークへの干渉が少なくなり得る。
【００３３】
[0049]一態様では、支配的干渉シナリオにおける通信は、異なる周波数帯域上で異なるｅＮＢを動作させることによってサポートされ得る。周波数帯域は、通信のために使用され得る周波数範囲であり、（ｉ）中心周波数および帯域幅、または（ｉｉ）より低い周波数およびより高い周波数によって与えられ得る。周波数帯域は、帯域、周波数チャネルなどと呼ばれることもある。異なるｅＮＢのための周波数帯域は、強いｅＮＢがそれのＵＥと通信することを可能にしながら、ＵＥが支配的干渉シナリオにおいてより弱いｅＮＢと通信することができるように選択され得る。ｅＮＢは、ＵＥにおいて受信されるｅＮＢからの信号の受信電力に基づいて（ｅＮＢの送信電力レベルには基づかずに）「弱い」ｅＮＢまたは「強い」ｅＮＢとして分類され得る。
【００３４】
[0050]図３は、図１の基地局／ｅＮＢのうちの１つであり得る基地局またはｅＮＢ１１０と、図１のＵＥのうちの１つであり得るＵＥ１２０との設計のブロック図である。制限付き関連付けシナリオの場合、ｅＮＢ１１０は図１のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０はＴ個のアンテナ３３４ａ〜３３４ｔを装備し得、ＵＥ１２０はＲ個のアンテナ３５２ａ〜３５２ｒを装備し得、ただし、概してＴ≧１およびＲ≧１である。
【００３５】
[0051]ｅＮＢ１１０において、送信プロセッサ３２０が、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ３２０は、データシンボルおよび制御シンボルを取得するために、それぞれデータおよび制御情報を処理（たとえば、符号化およびシンボルマッピング）し得る。送信プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、Ｔ個の出力シンボルストリームをＴ個の変調器（ＭＯＤ）３３２ａ〜３３２ｔに与え得る。各変調器３３２は、出力サンプルストリームを取得するために、（たとえば、ＯＦＤＭなどのために）それぞれの出力シンボルストリームを処理し得る。各変調器３３２はさらに、ダウンリンク信号を取得するために、出力サンプルストリームを処理（たとえば、アナログへの変換、増幅、フィルタ処理、およびアップコンバート）し得る。変調器３３２ａ〜３３２ｔからのＴ個のダウンリンク信号は、それぞれＴ個のアンテナ３３４ａ〜３３４ｔを介して送信され得る。
【００３６】
[0052]ＵＥ１２０において、アンテナ３５２ａ〜３５２ｒが、ｅＮＢ１１０からダウンリンク信号を受信し得、受信信号をそれぞれ復調器（ＤＥＭＯＤ）３５４ａ〜３５４ｒに与え得る。各復調器３５４は、入力サンプルを取得するために、それぞれの受信信号を調整（たとえば、フィルタ処理、増幅、ダウンコンバート、およびデジタル化）し得る。各復調器３５４はさらに、受信シンボルを取得するために、（たとえば、ＯＦＤＭなどのために）入力サンプルを処理し得る。ＭＩＭＯ検出器３５６は、Ｒ個の復調器３５４ａ〜３５４ｒのすべてから受信シンボルを取得し、適用可能な場合は受信シンボルに対してＭＩＭＯ検出を実行し、検出シンボルを与え得る。受信プロセッサ３５８は、検出シンボルを処理（たとえば、復調、デインターリーブ、および復号）し、ＵＥ１２０のための復号されたデータをデータシンク３６０に与え、復号された制御情報をコントローラ／プロセッサ３８０に与え得る。
【００３７】
[0053]アップリンク上では、ＵＥ１２０において、送信プロセッサ３６４が、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、基準信号のための基準シンボルを生成し得る。送信プロセッサ３６４からのシンボルは、適用可能な場合はＴＸ  ＭＩＭＯプロセッサ３６６によってプリコーディングされ、さらに（たとえば、ＳＣ−ＦＤＭなどのために）変調器３５４ａ〜３５４ｒによって処理され、ｅＮＢ１１０に送信され得る。ｅＮＢ１１０において、ＵＥ１２０からのアップリンク信号は、アンテナ３３４によって受信され、復調器３３２によって処理され、適用可能な場合はＭＩＭＯ検出器３３６によって検出され、ＵＥ１２０によって送られた復号されたデータと制御情報とを取得するために、受信プロセッサ３３８によってさらに処理され得る。受信プロセッサ３３８は、復号されたデータをデータシンク３３９に与え、復号された制御情報をコントローラ／プロセッサ３４０に与え得る。
【００３８】
[0054]コントローラ／プロセッサ３４０および３８０は、それぞれｅＮＢ１１０における動作およびＵＥ１２０における動作を指示し得る。ｅＮＢ１１０におけるコントローラ／プロセッサ３４０、受信プロセッサ３３８ならびに／または他のプロセッサおよびモジュールは、図８の動作８００、および／または本明細書で説明する技法のための他のプロセスを実行または指示し得る。メモリ３４２および３８２は、それぞれｅＮＢ１１０およびＵＥ１２０のためのデータおよびプログラムコードを記憶し得る。スケジューラ３４４は、ダウンリンク上および／またはアップリンク上でのデータ送信のためにＵＥをスケジュールし得る。
【００３９】
[0055]場合によっては、基準信号（たとえば、パイロット）が送信され得、ＵＥは、チャネル推定を行い、チャネル品質を決定するために、測定を行うことが可能になる。一例として、基地局（たとえば、ｅＮＢ）は、いくつかのアンテナポートから、特定のパターンに従ってチャネル状態情報基準信号（ＣＳＩ−ＲＳ）を送信し得る。受信信号に基づいて、ＵＥは、基地局に報告されるべきＣＳＩフィードバックを生成し得る。
【００４０】
[0056]場合によっては、ＬＴＥは、暗黙ランクインジケータ／プリコーディング行列インジケータ／チャネル品質インジケータ（ＲＩ／ＰＭＩ／ＣＱＩ：rank indicator/precoding matrix indicator/channel quality indicator）フィードバックフレームワークを利用する。ＣＳＩフィードバックは、ＵＥからネットワークに、好ましい送信ランクとプリコーダとパケットフォーマットとを伝達する。ＵＥは、ＲＩを用いて好ましい送信ランクを伝達し、ＲＩを条件とするＰＭＩを用いて好ましいプリコーディング行列を伝達し、ＲＩとＰＭＩとを条件とするＣＱＩを用いて好ましいパケットフォーマットを伝達する。場合によっては、フィードバック（ランク／ＰＭＩ／ＣＱＩ）およびＴＰ選択は、チャネル状態に基づいて、また他のファクタ（たとえば、ネットワーク負荷分散）に基づいて決定され得る。
【００４１】
[0057]ＲＩ／ＰＭＩ／ＣＱＩフィードバックは帯域幅の一部分上の平均チャネル状態を反映する。ＲＩおよびＰＭＩなど、いくつかのメトリックは、システム帯域幅にわたる平均チャネル状態を反映するように計算され得る（たとえば、広帯域ＲＩ／ＰＭＩ）。ＰＭＩおよびＣＱＩなど、いくつかのメトリックはサブバンドごとに計算され得る。しかしながら、サブバンド粒度（granularity）はまだかなり粗い（たとえば、６つのＰＲＢ）。ＣＳＩ情報の平均化は、干渉ヌリングのために望ましくないことがあり得る。ＣＳＩ情報を平均化することは、ＵＥによるＣＳＩフィードバックを補間するネットワークの能力を制限し、復調のためにプリコーダを補間するＵＥの能力を制限する。
チャネル状態フィードバックおよび送信ポイント選択のためのＣＳＩ−ＲＳの例示的なジョイント送信
[0058]本の態様は、チャネル状態フィードバックおよび／または送信ポイント（ＴＰ）選択のための、複数のＴＰからのチャネル状態情報基準信号（ＣＳＩ−ＲＳ）のジョイント送信のための技法を提供する。
【００４２】
[0059]いくつかのシステム（たとえば、ロングタームエボリューション（ＬＴＥ）リリース１１）では、ＬＴＥにおける多地点協調（ＣｏＭＰ）は、協調スケジューリング／協調ビームフォーミング（ＣＳ／ＣＢ：coordinated scheduling/coordinated beamforming）と、動的ポイント選択（ＤＰＳ：dynamic point selection）と、非コヒーレント（たとえば透過的）ジョイント送信（ＪＴ：joint transmission）とを含む複数のＣｏＭＰ方式をターゲットにする。
【００４３】
[0060]ＪＴ方式の場合、複数の送信ポイントが複数のＵＥをスケジュールし得る。いくつかの態様によれば、ＪＴは、ＣＳＩフィードバックがＤＰＳ（ＴＰ選択）のために使用されることを可能にする様式で（複数のＴＰから）（単一の）ＣＳＩ−ＲＳを送信するために利用され得る。
【００４４】
[0061]図４に、本開示のいくつかの態様による、例示的なＣｏＭＰクラスタ４００を示す。図４に示されているように、１つまたは複数のＴＰからのジョイント送信があり得る。本明細書で説明するように、複数のＴＰ（ＴＰ１〜ＴＰ７）のうちの１つまたは複数が１つまたは複数のＵＥ（ＵＥ１〜ＵＥ７）にＣＳＩ−ＲＳをジョイント送信し得る。ジョイント送信されたＣＳＩ−ＲＳに基づくＵＥからのフィードバックが、ＴＰ選択のために、たとえば、ＴＰ１〜ＴＰ７のうちの１つまたは複数のいずれがそのＵＥをサービスすべきかを選択するために使用され得る。
【００４５】
[0062]本開示の態様は、レガシーＵＥにおける多地点送信のサポートを可能にするために、単一のチャネル状態情報基準信号（ＣＳＩ−ＲＳ）をレガシーＵＥに提供するための技法を提供する。
【００４６】
[0063]ＬＴＥリリース１０ＵＥは、単一のＣＳＩ−ＲＳが構成されることを可能にするＬＴＥ送信モード９をサポートし得るが、ＬＴＥリリース１１ＵＥは、ＵＥが複数の送信ポイントからのチャネルを監視することを可能にすることによって、多地点送信をサポートするために最高３つのＣＳＩ−ＲＳがコンカレントに構成されることを可能にする、ＬＴＥ送信モード１０をサポートする。また、３ＧＰＰ規格は、リリース１１ＵＥがキャリアごとに１つ以下のＣＳＩ−ＲＳを監視する能力をシグナリングすることを可能にする。これらのリリース１１ＵＥはまた、複数のＣＳＩ−ＲＳを使用して複数の送信ポイントからのチャネルを監視することが可能ではない。混合システム（たとえば、異なるＵＥ能力をもつＬＴＥリリース１０および／またはリリース１１ＵＥを有するシステム）では、そのシステム中の送信ポイントが周波数および時間において同期していることがあるにもかかわらず、多地点送信の利益は実現されないことがある。限られた能力をもつリリース１０ＵＥまたはリリース１１ＵＥは、場合によっては、すべてのＴＰからのＰＤＳＣＨを復号し得るが、そのようなＵＥは、ＴＰ選択のために使用され得るフィードバックを与えることが可能ではなく、非サービングＴＰのためのチャネル状態フィードバック（ＣＳＦ：channel state feedback）は、従来のフィードバックを用いて取得されないことがある。しかしながら、本開示の態様は、（たとえば、本明細書で説明するジョイント送信されたＣＳＩ−ＲＳおよびコードブック制限によって）ＵＥによる従来のフィードバック機構がＴＰ選択のためのフィードバックと非サービングＴＰのためのＣＳＦとを与えるために使用されることを可能にする。
【００４７】
[0064]図５に、ＵＥ５０４にＣＳＩ−ＲＳを送信する単一の送信ポイント５０２の一例を示す。仮想アンテナ対物理アンテナマッピングＵが、チャネルＨ上で複数のＣＳＩシンボルポート（たとえば、ＣＳＩシンボルポート０および１）からＵＥにＣＳＩ−ＲＳを送信するために使用され得る。ＵＥ５０４は、有効チャネルＨＵを推定し、チャネル
【００４８】
【数１】
0006359675.tif 000002
【００４９】
が最良スペクトル効率を与えるような制約
【００５０】
【数２】
0006359675.tif 000003
【００５１】
内の最良プリコーディング行列
【００５２】
【数３】
0006359675.tif 000004
【００５３】
を決定し得る。ＵＥ５０４は、たとえば、ＰＭＩ報告を通して、
【００５４】
【数４】
0006359675.tif 000005
【００５５】
を送信ポイントに報告し得る。
【００５６】
[0065]Ｈ、Ｕ、およびＰはそれぞれ行列であり得る。Ｕは、物理送信アンテナの数×ＣＳＩ−ＲＳアンテナポートの数として次元決定され得る。Ｈは、受信アンテナの数×物理送信アンテナの数として次元決定され得る。Ｐは、ＣＳＩ−ＲＳアンテナポートの数×レイヤの数として次元決定され得る。所与の数のＣＳＩ−ＲＳアンテナポートのために使用され得るプリコーディング行列はＬＴＥ規格において定義され得、規格において定義された行列にプリコーディング行列制限が課され得る。
【００５７】
[0066]図６に、ＵＥにＣＳＩ−ＲＳをそれぞれ送信する複数の送信ポイントの一例を示す。図６には２つの送信ポイントＴＰ１  ６０２およびＴＰ２  ６０４が示されているが、任意の数の送信ポイントがＵＥにＣＳＩ−ＲＳを送信し得る。図５の場合のように、各送信ポイントは、チャネルＨ上で複数のＣＳＩシンボルポートからＵＥ６０６にＣＳＩ−ＲＳを送信するために、仮想アンテナ対物理アンテナマッピングＵを使用することができる。多地点状況では、ＵＥ６０６は、各送信ポイントのための最良プリコーディング行列を見つけ、チャネルのための推定スペクトル効率に基づいて送信ポイントを選択し得る。たとえば、２つの送信ポイントＴＰ１  ６０２およびＴＰ２  ６０４の場合、プリコーディング行列は、Ｐ1およびＰ2と指定され得る。最良プリコーディング行列は、
【００５８】
【数５】
0006359675.tif 000006
【００５９】
および
【００６０】
【数６】
0006359675.tif 000007
【００６１】
と指定され得、送信ポイント選択は、チャネル
【００６２】
【数７】
0006359675.tif 000008
【００６３】
および
【００６４】
【数８】
0006359675.tif 000009
【００６５】
のための推定スペクトル効率に基づくことができる。Ｕ1およびＵ2は、それぞれチャネルＨ1およびＨ2に吸収されていると推定され得、これは、それぞれ有効チャネルＨ1Ｕ1およびＨ2Ｕ2を定義することと等価である。
【００６６】
[0067]図７Ａ〜図７Ｂに、本開示のいくつかの態様による、単一のＣＳＩ−ＲＳをジョイント構成し、ジョイント構成されたＣＳＩ−ＲＳをＵＥに送信するための、複数の送信ポイントを使用する例示的な構成７００Ａおよび７００Ｂを示す。仮想アンテナポートマッピングＵは、複数の送信ポイントの各々のためのポートマッピングの組合せとして構成され得る。送信ポイントは、チャネルＨ上でＵＥにＣＳＩ−ＲＳを送信するために、仮想アンテナポートマッピングＵと、複数の送信ポイントの各々からのＣＳＩシンボルポート（たとえば、第１の送信ポイントＴＰ１のＣＳＩシンボルポート０および１、ならびに送信ポイントＴＰ２のＣＳＩシンボルポート２および３）とを使用し得る。たとえば、図７Ａ中の７００Ａによって示されているように、送信ポイントＴＰ１  ７０２は、ジョイント構成されたＣＳＩ−ＲＳをＵＥ７０６に送信するために、第１の仮想アンテナポート対物理アンテナマッピング（Ｕ1）を使用し得る。対応して、図７Ｂ中の例７００Ｂによって示されているように、送信ポイントＴＰ２  ７０４は、ジョイント構成されたＣＳＩ−ＲＳをＵＥ７０６に送信するために、第２の仮想アンテナ対物理アンテナマッピング（Ｕ2）を使用し得る。各送信ポイントＴＰ１  ７０２、ＴＰ２  ７０４は、送信ポイントからのＣＳＩ−ＲＳ信号の送信電力を選択し、および／または変化させるための電力スケーリングコンポーネントを有し得る。
【００６７】
[0068]図８に、本開示のいくつかの態様による、複数の送信ポイント上で単一のＣＳＩ−ＲＳを送信するための例示的な動作８００を示す。動作８００は、たとえば、ＣｏＭＰ動作に参加している送信ポイント（たとえば、図４に示されたＴＰ１〜ＴＰ７のうちの１つ）によって実行され得る。動作８００は、８０２において、ユーザ機器にチャネル状態情報基準信号をジョイント送信するために１つまたは複数の他のＴＰと協調することから開始し得る。８０４において、送信ポイントはＵＥに報告制限をシグナリングする。８０６において、送信ポイントは、ジョイント送信されたＣＳＩ−ＲＳに基づきおよび報告制限に従う、ＵＥからのフィードバックを受信する。８０８において、送信ポイントは、フィードバックに基づいて、サービスすべきＴＰのうちの１つまたは複数を選択する。
【００６８】
[0069]ＣＳＩ−ＲＳポートの数は、参加している送信ポイントの数と、各送信ポイントに割り振られたプリコーディング次元の数と、各送信ポイントにおける物理送信（Ｔｘ）アンテナの数とに依存し得る。
【００６９】
[0070]各送信ポイントにおけるＣＳＩ−ＲＳ送信のための仮想アンテナポートマッピングは、参加している送信ポイントからの非同一ＰＭＩおよびＣＱＩフィードバックを可能にするように設計され得る。アンテナポートマッピングは、周波数および／または時間依存であり得、周波数および時間にわたって変化し得る。アンテナポートマッピングは、物理送信ポート電力制約を満たすように構成され得る。
【００７０】
[0071]ＰＭＩコードブック制限は、ＵＥによって報告されたＰＭＩが、送信ポイント選択と、選択された送信ポイントについてのＰＭＩフィードバックとを示すことができるように、構成され、ＵＥにシグナリングされ得る。コードブック制限は、別の送信ポイントからの保証報告をサポートするように再構成され得る。
【００７１】
[0072]ネットワークは、送信ポイントにおいてＣＳＩ−ＲＳの電力スケーリングを変更することができる。適切な時間スケールを用いて、各送信ポイントに対応するフィードバックがＵＥによって生成され、報告され得る。電力スケーリングは、ＵＥによる時間平均化の影響が最小限に抑えられるように実行され得る。電力スケーリングはまた、たとえば、負荷分散タイプの状況において有用であり得る、ＴＰ選択におけるバイアスを作成するのを助け得る。
【００７２】
[0073]周期および非周期フィードバック報告が構成され得る。周期報告と非周期報告とは、概して、同じコードブック制限を共有する。８ＣＳＩ−ＲＳポートシナリオでは、いくつかの周期報告モードは、チャネル状態フィードバックペイロード考慮事項による追加のコードブック制限を課する。
【００７３】
[0074]たとえば、各送信ポイントが１つのＴｘアンテナを有するか、または各送信ポイントが複数のＴｘアンテナを有するが、ＰＭＩフィードバックを必要としない場合、２ポートＣＳＩ−ＲＳとポートマッピングＵとが構成され得る。ポートマッピングＵは、次式に従って定義され得る。
【００７４】
【数９】
0006359675.tif 000010
【００７５】
１レイヤ報告は、プリコーディング行列
【００７６】
【数１０】
0006359675.tif 000011
【００７７】
および
【００７８】
【数１１】
0006359675.tif 000012
【００７９】
によって制約され得る。ＵＥは次のチャネルを推定することができる。
【００８０】
【数１２】
0006359675.tif 000013
【００８１】
許容プリコーディング行列を比較することによって、ＵＥは、
【００８２】
【数１３】
0006359675.tif 000014
【００８３】
のように定義されるチャネルを、
【００８４】
【数１４】
0006359675.tif 000015
【００８５】
のように定義される別のチャネルと比較する。したがって、ＵＥがプリコーディング行列
【００８６】
【数１５】
0006359675.tif 000016
【００８７】
のためのプリコーディング行列情報（ＰＭＩ：precoding matrix information）を報告した場合、ｅノードＢは、Ｈ1がＨ2よりも良好なチャネルである（たとえば、より高いスペクトル効率を有する）と決定することができ、Ｈ1に関してＣＱＩが報告され得る。同様に、ＵＥがプリコーディング行列
【００８８】
【数１６】
0006359675.tif 000017
【００８９】
に関するＰＭＩを報告した場合、ｅノードＢは、Ｈ2がより良いチャネルであると決定することができる。報告されたＰＭＩは、適切な送信ポイントを選択するためにｅノードＢにおいて使用され得る。
【００９０】
[0075]２つのＴｘアンテナをもつ送信ポイントの場合、４ポートＣＳＩ−ＲＳまたは８ポートＣＳＩ−ＲＳがジョイント送信のために構成され得る。Ｕ行列およびプリコーディング制限｛Ｐi｝は、各Ｐiについて、Ｕ．Ｐiがブロック対角であるように構成され得る。たとえば、２レイヤプリコーディングを使用すると、Ｕ．Ｐiは次のように定義され得る。
【００９１】
【数１７】
0006359675.tif 000018
【００９２】
したがって、各ＰＭＩは１つの送信ポイント内でプリコーディングする。この例では、可能なプリコーディングされたチャネルは次のようになり得る。
【００９３】
【数１８】
0006359675.tif 000019
【００９４】
[0076]４ポートＣＳＩ−ＲＳの場合、Ｕ行列は次のように定義され得る。
【００９５】
【数１９】
0006359675.tif 000020
【００９６】
ＵＥに対する４ポートＣＳＩ−ＲＳのためのコードブック制限は、１レイヤ送信ではプリコーディングインデックス１２、１３、１４、または１５として定義され、２レイヤ送信ではインデックス１３および１４として定義され得る。
【００９７】
【数２０】
0006359675.tif 000021
【００９８】
であるので、式の左辺の行列中のカラムはランク１プリコーディング行列であり得、それらのカラムは、左から右に、プリコーディングインデックス１３、１５、１４、および１２を表す。同じ行列がランク２行列をも表し得、２つの最左ロウはプリコーディングインデックス１３を表し、右の２つのロウはプリコーディングインデックス１５を表す。
【００９９】
[0077]したがって、ＵＥがランク１を選択し、プリコーディングインデックス１３または１５のためのＰＭＩを送信した場合、ｅノードＢは、プリコーディング行列
【０１００】
【数２１】
0006359675.tif 000022
【０１０１】
または
【０１０２】
【数２２】
0006359675.tif 000023
【０１０３】
を用いて、第１の送信ポイントが選択されると決定し得る。ＵＥがランク１を選択し、プリコーディングインデックス１２または１４のためのＰＭＩを送信した場合、ｅノードＢは、第２の送信ポイントが選択されると決定し得る。
【０１０４】
[0078]４ポートＣＳＩ−ＲＳ構成では、ｅノードＢが各送信ポイントのためにどのＰＭＩを使用することができるかに関して、追加の制約が課され得る。たとえば、上記の例において使用される制限およびＵ行列の場合、ｅノードＢは、送信ポイントごとのプリコーディング行列
【０１０５】
【数２３】
0006359675.tif 000024
【０１０６】
に関する情報を受信しないことがある。Ｕ行列とＰＭＩ制限との選定は、送信ポイントごとに異なるＰＭＩをカバーすることができる。各送信ポイントは、同じプリコーディング行列制限を使用する必要がないことがある。
【０１０７】
[0079]たとえば、図９に、本開示のいくつかの態様による、それぞれ、ランク１プリコーディング行列およびランク２プリコーディング行列のための送信ポイント選択を示す、ランク１テーブル９０２およびランク２テーブル９０４を示す。固定Ｕ行列およびＰＭＩ制限を用いると、ｅノードＢは、４ポートＰＭＩフィードバックに基づく送信ポイント選択に加えて、選択された送信ポイントのための２つの等価ランク１プリコーディング行列および１つの等価ランク２プリコーディング行列からのＰＭＩフィードバックのみを取得し得る。
【０１０８】
[0080]２つのＴｘアンテナをもつ送信ポイントのための例示的な状況では、８ポートＣＳＩ−ＲＳが構成され得る。例示的なＵ行列は次のように定義され得る。
【０１０９】
【数２４】
0006359675.tif 000025
【０１１０】
１レイヤの場合、コードブックは、ｉ1＝０、４、８または１２、およびｉ2＝０または２に従って制限され得る。２レイヤの場合、コードブックは、ｉ1＝０、４、８または１２、およびｉ2＝０に従って制限され得る。コードブック制限は次式を生じ得る。
【０１１１】
【数２５】
0006359675.tif 000026
【０１１２】
上式で、ψn＝ｅjπn/2およびｖm＝［１  ｅj2πm/32  ｅj4πm/32  ｅj6πm/32］Tである。ＵＥからのＰＭＩフィードバックに基づいて、ｅノードＢは、図１０に示すランク１テーブル１００２またはランク２テーブル１００４に従って、選択された送信ポイントとコードブックとを決定することができる。
【０１１３】
[0081]いくつかの態様によれば、送信ポイントが４つのＴｘアンテナを有する場合、送信ポイント選択のために８ポートＣＳＩ−ＲＳが構成され得る。例示的なＵ行列は次のように定義され得る。
【０１１４】
【数２６】
0006359675.tif 000027
【０１１５】
１レイヤの場合、プリコーディング行列は、ｉ1＝０、４、８または１２、およびｉ2＝０または２に従って制限され得る。２レイヤの場合、プリコーディング行列は、ｉ1＝０、４、８または１２、およびｉ2＝０に従って制限され得る。Ｕ行列およびプリコーディング行列制限は次式を生じ得る。
【０１１６】
【数２７】
0006359675.tif 000028
【０１１７】
ｅノードＢは、図１１に示すランク１テーブル１１０２およびランク２テーブル１１０４に従って、選択された送信ポイントとＰＭＩとを計算することができる。
【０１１８】
[0082]８つのＴｘアンテナをもつ送信ポイントのためのコードブックを用いると、ＰＭＩ報告は、物理アップリンク制御チャネル（ＰＵＣＣＨ）タイプに関してさらに制限され得る。ｅノードＢによるこの制限は、複数の送信ポイントのうちの１つについて報告することをＵＥに強制することができる。たとえば、ＰＵＣＣＨモード１−１、サブモード２において、ＵＥは偶数のｉ1のみを報告し得、ｉ2は、ランク１では０または２に限定され、ランク２では０または１に限定され得る。送信ポイントのうちの１つにマッピングするＰＭＩが、選択されたＰＵＣＣＨモードによって許容されるＰＭＩを使用するように、Ｕ行列構成における追加の制約が追加され得る。この制限は、選択されたＰＵＣＣＨモードを使用して複数の送信ポイントのうちの１つのみに関して報告することをＵＥに強制するために使用され得る。ｅノードＢは、別の報告フォーマットによって他の送信ポイントのうちの最良送信ポイントについての報告を取得し続け得る。
【０１１９】
[0083]ＰＵＣＣＨモード制限をもつ例示的なＵ行列は次のように定義され得る。
【０１２０】
【数２８】
0006359675.tif 000029
【０１２１】
１レイヤの場合、コードブックは、ｉ1＝０、１、８、または９、およびｉ2＝０、２に従って制限され得る。２レイヤの場合、コードブックは、ｉ1＝０、１、８または９、およびｉ2＝０に従って制限され得る。ＵＥからのＰＭＩフィードバックに基づいて、ｅノードＢは、図１２に示すランク１テーブル１２０２およびランク２テーブル１２０４に従って、選択された送信ポイントとコードブックインデックスとを決定することができる。
【０１２２】
[0084]図１２に示されているように、すべての偶数のｉ1およびｉ2∈｛０，２｝は第１の送信ポイントにマッピングされ得る。一例としてＰＵＣＣＨモード１−１、サブモード２を使用すると、ｅノードＢは、第１の送信ポイントについてのチャネル品質情報を報告することをＵＥに強制することができる。他の報告モードを用いると、ｅノードＢは、送信ポイント選択と、選択された送信ポイントに基づくＣＱＩ報告の両方を受信することができる。ＰＵＣＣＨモード１−１、サブモード２を用いた報告は、図１３に示すランク１テーブル１３０２およびランク２テーブル１３０４において見られ得る。
【０１２３】
[0085]強制報告は、単一のＵ行列と、異なるＰＭＩ制限を用いて、異なる送信ポイントがＰＵＣＣＨ報告において強制され得るようなＰＭＩ制限の２つのセットとの展開を可能にし得る。たとえば、次式
【０１２４】
【数２９】
0006359675.tif 000030
【０１２５】
によって定義されるＵ行列が与えられ、ランク２報告が使用不能にされると、ランク１のための２つのＰＭＩ制限が識別され得る。第１の制限セットは、ｉ1＝０、１、または２、およびｉ2＝０、１０として定義され得る。第１の制限セットが執行された場合、選択された送信ポイントおよびコードブックは、図１４Ａに示すテーブル１４００Ａに従って定義され得る。一例としてＰＵＣＣＨモード１−１、サブモード２制限を使用すると、制限を満たすすべてのＰＭＩが第１の送信ポイントを選択させることがわかり得る。
【０１２６】
[0086]第２の制限セットは、ｉ1＝０、１、または２、およびｉ2＝２、８として定義され得る。第２の制限セットが執行された場合、選択された送信ポイントおよびコードブックは、図１４Ｂに示すテーブル１４００Ｂに従って定義され得る。一例としてＰＵＣＣＨモード１−１、サブモード２制限を使用すると、制限を満たすすべてのＰＭＩが第２の送信ポイントを選択させることがわかり得る。
【０１２７】
[0087]同じＵ行列およびＣＳＩ−ＲＳを用いて、ｅノードＢは、ＰＵＣＣＨモードにおいて特定の送信ポイントについての情報を報告することをＵＥに強制するために、異なるＰＭＩ制限を潜在的に構成することができることに留意されたい。ＰＭＩ制限セットの再構成は、物理ダウンリンク共有チャネル（ＰＤＳＣＨ）送信ポイント切替えインスタンスに結び付けられ得る。
【０１２８】
[0088]コードブック制限は、ＰＵＣＣＨ報告に関する送信ポイントを切り替えながら、ＰＵＳＣＨ上でランク１報告とランク２報告の両方を可能にするように設計され得る。これのためのＵ行列は次式に従って定義され得る。
【０１２９】
【数３０】
0006359675.tif 000031
【０１３０】
第１のＰＭＩ制限セットの場合、ランク１（１レイヤ）制限は、ｉ1＝０、およびｉ2＝０、１４として定義され得る。ランク２（２レイヤ）制限は、ｉ1＝５または７、およびｉ2＝１として定義され得る。第１の制限およびランク１の場合の送信ポイントの選択およびコードブックインデックスは、図１５Ａに示すテーブル１５００Ａによって示され得る。第１の制限およびランク２の場合の送信ポイントの選択およびコードブックインデックスは、図１５Ｂに示すテーブル１５００Ｂによって示され得る。
【０１３１】
[0089]第２のＰＭＩ制限セットの場合、ランク１制限は、ｉ1＝０、およびｉ2＝２、１２として定義され得る。ランク２制限は、ｉ1＝５または７、およびｉ2＝１として定義され得る。第２の制限およびランク１の場合の送信ポイントの選択およびコードブックインデックスは、図１５Ｃに示すテーブル１５００Ｃによって示され得る。第２の制限およびランク２の場合の送信ポイントの選択およびコードブックインデックスは、図１５Ｄに示すテーブル１５００Ｄによって示され得る。
【０１３２】
[0090]ＵＥは、ｅノードＢによって指定されたＰＭＩ制限から、ｅノードＢが多地点送信サポートのために単一のＣＳＩ−ＲＳのジョイント送信を使用していることを部分的に検出することが可能であり得る。たとえば、許容プリコーディング行列のセットが、同じＵ行列を用いてあらゆる可能なランクのためのブロック対角行列に分解され得る場合、ＵＥは、ネットワークが単一のＣＳＩ−ＲＳを使用して多地点送信をサポートすると決定することができる。
【０１３３】
[0091]様々な数のＴｘアンテナをもつ送信ポイントが、多地点送信のための単一のＣＳＩ−ＲＳのジョイント送信に参加し得る。たとえば、ある送信ポイントが単一のＴｘアンテナを有し、別の送信ポイントが複数のＴｘアンテナを有する場合、上記で説明した２Ｔｘアンテナ例のためのＵ行列およびプリコーディング制限が構成され得る。単一のＴｘアンテナをもつ送信ポイントは、単一のプリコーディング行列を使用するように制限され得る。
【０１３４】
[0092]ジョイント構成されたＣＳＩ−ＲＳは、単一のセルを監視するように構成されたＵＥのために使用され得る。ＵＥの環境では、ＵＥのうちのいくつかは複数の送信ポイントを監視することができ、ＵＥのうちのいくつかは単一の送信ポイントを監視することができる、共通Ｕ行列と、ジョイント構成されたＣＳＩ−ＲＳと、ＰＭＩ制限とが使用され得る。複数の送信ポイントを監視するＵＥは、複数の送信ポイントのうちの最良送信ポイントを報告することができる。単一の送信ポイントを監視するＵＥは、異なるＰＭＩ制限を使用して、指定された送信ポイントについて報告することができる。
【０１３５】
[0093]ＣＳＩ−ＲＳのジョイント構成は任意の数の送信ポイントのために使用され得る。ブロック対角行列中のブロックの数は、比較され得る送信ポイントの数を決定することができる。たとえば、８ＣＳＩ−ＲＳポート送信は、各送信ポイントに２つのＴｘアンテナがある４つの送信ポイントをサポートすることができる。
【０１３６】
[0094]いくつかの送信ポイントについてのフィードバックが保証され得る。いくつかの送信ポイントについてのフィードバックの受信を保証するために使用され得る例示的な動作について以下で説明する。本明細書で説明する例は１および２レイヤフィードバックに関係しているが、当業者は、本技法が１および２レイヤフィードバックに限定されず、上位レイヤフィードバックにも適用され得ることを認識されよう。
【０１３７】
[0095]ネットワークはＵＥのためのＰＭＩコードブック制限を再構成することができる。たとえば、ＰＭＩコードブック制限は、報告がそれについて要求される送信ポイントを変更するために、無線リソース制御（ＲＲＣ）シグナリングを通して再構成され得る。これらの動作は、たとえば、電力スケーリング、または特定のポート構成（たとえば、８ＣＳＩ−ＲＳポート構成のためのＰＵＣＣＨモード２−２構成）のための特定のＰＵＣＣＨモードをセットアップすることを伴うことができる。たとえば、ネットワークは、送信ポイントの数に対応するいくつかのＰＭＩ制限セットを選択し、選択されたＰＭＩ制限セットをＵＥにシグナリングすることができる。ＰＭＩ制限は、ＰＤＳＣＨ送信のための送信ポイントを変更することに結び付けられ得る。
【０１３８】
[0096]フィードバックの受信を保証するために、ＲＲＣ再構成が使用され得る。ＲＲＣ再構成は、ＵＥがＰＤＣＣＨのための切替えポイントを変更するとき、ＵＥのためのＰＭＩコードブック制限を変更し得る。別の例では、ＲＲＣ再構成は、ＵＥに対するＣＳＩ−ＲＳ構成を変更するために使用され得る。参加している送信ポイントは、各々が適切な仮想アンテナマッピングを用いて、ＣＳＩ−ＲＳ構成の２つのセットをジョイント送信し得る。１つの送信ポイントについてのフィードバックが行われ得るか、または保証されるように、各ＣＳＩ−ＲＳ構成のための仮想アンテナマッピングと電力スケーリングとが構成され得る。たとえば、あるＣＳＩ−ＲＳ構成は第１の送信ポイントのためのより低い電力を用いたＣＳＩ−ＲＳ送信を伴うことができ、別のＣＳＩ−ＲＳ構成は第２の送信ポイントのためのより低い電力を用いたＣＳＩ−ＲＳ送信を伴うことができる。一例として８ＣＳＩ−ＲＳ構成を使用すると、１つのＣＳＩ−ＲＳ構成の仮想アンテナマッピングは、特定のＰＵＣＣＨモードにおいていくつかの送信ポイントの役割を反転させることを伴い得る。
【０１３９】
[0097]複数のセットからの周波数選択性仮想アンテナマッピングが、サブバンドベースフィードバックとともに、いくつかの送信ポイントからのフィードバックを保証するために使用され得る。仮想アンテナマッピングは、帯域幅パートおよび／またはサブバンドと整合するように周波数にわたって変更され得る。たとえば、各帯域幅パートまたはサブバンドは、特定の帯域幅パートまたはサブバンドのための仮想アンテナマッピングが送信ポイントを使用可能にするように、その送信ポイントに関連付けられ得る。ネットワークは、サブバンドＣＱＩ報告を使用して構成された上位レイヤについての非周期報告を使用可能にすることができる。たとえば、ＵＥはＰＵＳＣＨモード３−１で構成され得、これは、ＵＥが、ＰＵＳＣＨ報告において複数の送信ポイントに関連付けられたサブバンドまたは帯域幅パートのためのＣＱＩを報告することを伴い得る。ネットワークは、８ＣＳＩ−ＲＳポートを使用可能にし、ＵＥ選択サブバンドＣＱＩおよびＰＭＩをもつＰＵＣＣＨ報告モード２−２を使用可能にするように構成され得る。これは、サブバンドごとのＰＭＩおよびＣＱＩ報告を提供し得る。１のプロシージャトランザクション識別情報（ＰＴＩ：procedure transaction identity）に関連する報告インスタンスでは、サブバンドＰＭＩおよびサブバンドＣＱＩは帯域幅パートごとに提供され得る。
【０１４０】
[0098]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１４１】
[0099]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、概してそれらの機能に関して上記で説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。
【０１４２】
[0100]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１４３】
[0101]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、および／または記憶媒体に情報を書き込むことができるように、プロセッサに結合される。代替として、記憶媒体はプロセッサと一体であり得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。概して、図に示された動作がある場合、それらの動作は、同様の番号をもつ対応するカウンターパートのミーンズプラスファンクション構成要素を有し得る。
【０１４４】
[0102]１つまたは複数の例示的な設計では、説明した機能は、ハードウェア、ソフトウェア、ファームウェアまたはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せも、コンピュータ可読媒体の範囲内に含まれるべきである。
【０１４５】
[0103]本開示についての以上の説明は、いかなる当業者も本開示を作成または使用することができるように与えたものである。本開示への様々な変更は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
送信ポイント（ＴＰ）によるワイヤレス通信のための方法であって、
ユーザ機器（ＵＥ）にチャネル状態情報基準信号（ＣＳＩ−ＲＳ）をジョイント送信するために１つまたは複数の他のＴＰと協調することと、
前記ＵＥに報告制限をシグナリングすることと、
前記ジョイント送信されたＣＳＩ−ＲＳに基づきおよび前記報告制限に従う、前記ＵＥからのプリコーディング行列インジケータ（ＰＭＩ）フィードバックを受信することと、
前記ＰＭＩフィードバックに基づいて、サービスすべき前記ＴＰのうちの１つまたは複数を選択することと
を備える、方法。
［Ｃ２］
前記報告制限は、前記ＵＥによって報告されたＰＭＩが送信ポイント選択に変換され得るようなＰＭＩコードブック制限を備える、Ｃ１に記載の方法。
［Ｃ３］
他の送信ポイントからの報告が必要とされる場合、前記コードブック制限を修正することをさらに備える、Ｃ２に記載の方法。
［Ｃ４］
前記報告制限が、いくつかの周期報告モードを構成することによるＰＭＩ報告に対するさらなる制限を備える、Ｃ１に記載の方法。
［Ｃ５］
前記協調することが、ＴＰ上で前記ジョイント送信されたＣＳＩ−ＲＳの送信電力を協調させることを備える、Ｃ１に記載の方法。
［Ｃ６］
前記協調することが、
仮想アンテナポートマッピングを決定することを備え、ここにおいて、前記複数の送信ポイントの各々が、非同一ＰＭＩ／ＣＱＩフィードバックを可能にするように構成された異なるアンテナポートマッピングを有する、Ｃ１に記載の方法。
［Ｃ７］
第１の送信ポイントに対応するフィードバックの周期報告と、ＴＰ選択ならびに前記第１の送信ポイントおよび少なくとも第２の送信ポイントについてのＰＭＩ／ＣＱＩフィードバックに対応する非周期報告と、のために前記ＵＥを構成すること
をさらに備える、Ｃ６に記載の方法。
［Ｃ８］
前記第２の送信ポイントは、前記第２の送信ポイントがベストセルに対応することを示すフィードバックに基づいて選択される、Ｃ７に記載の方法。
［Ｃ９］
前記複数の送信ポイントのうちの少なくとも１つが１つのアンテナを有し、前記仮想アンテナポートマッピングが少なくとも２ポートマッピングを備える、Ｃ６に記載の方法。
［Ｃ１０］
前記複数の送信ポイントのうちの少なくとも１つが少なくとも２つのアンテナを有する、Ｃ６に記載の方法。
［Ｃ１１］
前記仮想アンテナポートマッピングが４ポートマッピングまたは８ポートマッピングのうちの少なくとも１つを備える、Ｃ１０に記載の方法。
［Ｃ１２］
前記仮想アンテナポートマッピングは、単一の行列と、異なる送信ポイントに対応するフィードバックが、ある周期報告モードにおいて強制され得るようなＰＭＩ制限の１つまたは複数のセットと、を備える、Ｃ６に記載の方法。
［Ｃ１３］
送信ポイント（ＴＰ）によるワイヤレス通信のための装置であって、
ユーザ機器（ＵＥ）にチャネル状態情報基準信号（ＣＳＩ−ＲＳ）をジョイント送信するために１つまたは複数の他のＴＰと協調することと、
前記ＵＥに報告制限をシグナリングすることと
を行うように構成された送信機と、
前記ジョイント送信されたＣＳＩ−ＲＳに基づきおよび前記報告制限に従う、前記ＵＥからのプリコーディング行列インジケータ（ＰＭＩ）フィードバックを受信するように構成された受信機と、
前記ＰＭＩフィードバックに基づいて、サービスすべき前記ＴＰのうちの１つまたは複数を選択するように構成されたプロセッサと
を備える、装置。
［Ｃ１４］
前記報告制限は、前記ＵＥによって報告されたＰＭＩが送信ポイント選択に変換され得るようなＰＭＩコードブック制限を備える、Ｃ１３に記載の装置。
［Ｃ１５］
前記プロセッサは、他の送信ポイントからの報告が必要とされる場合、前記コードブック制限を修正するようにさらに構成された、Ｃ１４に記載の装置。
［Ｃ１６］
前記報告制限が、いくつかの周期報告モードを構成することによるＰＭＩ報告に対するさらなる制限を備える、Ｃ１３に記載の装置。
［Ｃ１７］
前記協調することが、ＴＰ上で前記ジョイント送信されたＣＳＩ−ＲＳの送信電力を協調させることを備える、Ｃ１３に記載の装置。
［Ｃ１８］
前記協調することが、
仮想アンテナポートマッピングを決定することを備え、ここにおいて、前記複数の送信ポイントの各々が、非同一ＰＭＩ／ＣＱＩフィードバックを可能にするように構成された異なるアンテナポートマッピングを有する、Ｃ１３に記載の装置。
［Ｃ１９］
前記送信機が、
第１の送信ポイントに対応するフィードバックの周期報告と、ＴＰ選択ならびに前記第１の送信ポイントおよび少なくとも第２の送信ポイントについてのＰＭＩ／ＣＱＩフィードバックに対応する非周期報告とのために前記ＵＥを構成するようにさらに構成された、Ｃ１８に記載の装置。
［Ｃ２０］
前記第２の送信ポイントは、前記第２の送信ポイントがベストセルに対応することを示すフィードバックに基づいて選択される、Ｃ１９に記載の装置。
［Ｃ２１］
前記複数の送信ポイントのうちの少なくとも１つが１つのアンテナを有し、前記仮想アンテナポートマッピングが少なくとも２ポートマッピングを備える、Ｃ１８に記載の装置。
［Ｃ２２］
前記複数の送信ポイントのうちの少なくとも１つが少なくとも２つのアンテナを有する、Ｃ１８に記載の装置。
［Ｃ２３］
前記仮想アンテナポートマッピングが４ポートマッピングまたは８ポートマッピングのうちの少なくとも１つを備える、Ｃ２２に記載の装置。
［Ｃ２４］
前記仮想アンテナポートマッピングは、単一の行列と、異なる送信ポイントに対応するフィードバックが、ある周期報告モードにおいて強制され得るようなＰＭＩ制限の１つまたは複数のセットとを備える、Ｃ１８に記載の装置。
［Ｃ２５］
送信ポイント（ＴＰ）によるワイヤレス通信のための装置であって、
ユーザ機器（ＵＥ）にチャネル状態情報基準信号（ＣＳＩ−ＲＳ）をジョイント送信するために１つまたは複数の他のＴＰと協調するための手段と、
前記ＵＥに報告制限をシグナリングするための手段と、
前記ジョイント送信されたＣＳＩ−ＲＳに基づきおよび前記報告制限に従う、前記ＵＥからのプリコーディング行列インジケータ（ＰＭＩ）フィードバックを受信するための手段と、
前記ＰＭＩフィードバックに基づいて、サービスすべき前記ＴＰのうちの１つまたは複数を選択するための手段と
を備える、装置。
［Ｃ２６］
ユーザ機器（ＵＥ）にチャネル状態情報基準信号（ＣＳＩ−ＲＳ）をジョイント送信するために１つまたは複数の他のＴＰと協調することと、
前記ＵＥに報告制限をシグナリングすることと、
前記ジョイント送信されたＣＳＩ−ＲＳに基づきおよび前記報告制限に従う、前記ＵＥからのプリコーディング行列インジケータ（ＰＭＩ）フィードバックを受信することと、
前記ＰＭＩフィードバックに基づいて、サービスすべき前記ＴＰのうちの１つまたは複数を選択することと
を行うための命令を備える、非一時的コンピュータ可読媒体。
【図１】
0006359675.tif 000032
【図２】
0006359675.tif 000033
【図２Ａ】
0006359675.tif 000034
【図３】
0006359675.tif 000035
【図４】
0006359675.tif 000036
【図５】
0006359675.tif 000037
【図６】
0006359675.tif 000038
【図７Ａ】
0006359675.tif 000039
【図７Ｂ】
0006359675.tif 000040
【図８】
0006359675.tif 000041
【図９】
0006359675.tif 000042
【図１０】
0006359675.tif 000043
【図１１】
0006359675.tif 000044
【図１２】
0006359675.tif 000045
【図１３】
0006359675.tif 000046
【図１４Ａ】
0006359675.tif 000047
【図１４Ｂ】
0006359675.tif 000048
【図１５Ａ】
0006359675.tif 000049
【図１５Ｂ】
0006359675.tif 000050
【図１５Ｃ】
0006359675.tif 000051
【図１５Ｄ】
0006359675.tif 000052